(57)【特許請求の範囲】
【請求項１】
巻取りバネを有する巻取りドラムを収容する収納ケースと、該収納ケースから引き出された測定テープの固定保持を行なうためのストッパーシューが設けられた巻尺において、前記ストッパーシューがストップ位置にあるとき前記ストッパーシューに対応する部分の収納ケースに開口が形成され、該開口に滑り止めのためにクッション部材が臨出されていることを特徴とする巻尺。
【請求項２】
前記クッション部材は、前記開口に嵌合または接着により取り付けられていることを特徴とする請求項１に記載の巻尺。
【請求項３】
前記クッション部材は鍔部を有し、該鍔部が前記収納ケースの開口の外壁側に形成され前記鍔部の厚さとほぼ等しい深さの凹部に座着して前記クッション部材が取り付けられていることを特徴とする請求項１または２に記載の巻尺。
【請求項４】
前記収納ケースを取り巻くように取り付けられたグリップカバーを有し、前記クッション部材は、前記グリップカバーに一体的に形成されていることを特徴とする請求項１に記載の巻尺。
【請求項５】
前記グリップカバーには、前記収納ケースをその周壁部側から挿入する開口部が設けられ、前記収納ケースには、前記グリップカバーが座着する段差部が形成されており、かつ、前記段差部の段差の高さが前記グリップカバーの開口部における厚さにほぼ等しいことを特徴とする請求項４に記載の巻尺。
【請求項６】
前記収納ケースの外面に少なくとも１つの凸部が一体成形により形成されているとともに、前記グリップカバーには前記凸部と嵌合する位置に穴部が設けられていることを特徴とする請求項４または５に記載の巻尺。
【請求項７】
前記グリップカバーには、前記ストッパーシューを操作する操作ボタンの側方をカバーする保護壁が一体的に形成されていることを特徴とする請求項４ないし６のいずれか１項に記載の巻尺。
【発明の詳細な説明】
【０００１】
【発明の属する技術分野】
本発明は、巻き取り用バネによりケース本体内に測定テープを巻き込むことができる自動巻の巻尺、特に、測定テープを任意の位置で解除可能に保持することができるストッパー機構を備えた巻尺に関するものである。
【０００２】
【従来の技術】
従来、鋼板、織布、プラスチック材などにより構成される測定テープを用いて、長さや距離を計測することが行われている。測定テープは、手巻きや自動巻きの収納ケースに巻き取られるのが普通である。自動巻きに用いられる測定テープは、その断面形状が樋状であり、収納ケースから引き出された場合には、直線状になろうとする性質がある。
【０００３】
自動巻きの巻尺においては、測定テープを任意の位置で解除可能に保持するストッパー機構を有した製品が数多く見られる。これらのストッパー機構は、測定テープを収納する収納ケースの外側にスライドノブ、または、ストッパーボタンを設けて、これらを操作することにより、ストッパーシューが測定テープの表面側を押さえて、収納ケースの底壁との間に挟み込むことによって、測定テープと収納ケースの底壁との摩擦、あるいは、測定テープとストッパーシューとの摩擦により、引き出した位置で測定テープの固定保持を行なうのが一般的である。
【０００４】
ストッパーシューの材料としては、ポリアセタールやナイロン等の樹脂が用いられ、また、収納ケースの材料としては、ＡＢＳ樹脂が用いられるのが一般的であるが、これらの樹脂は、測定テープが巻き取り用バネにより引き戻される力に打ち勝って、その引き出し位置において測定テープの固定保持を行なう程度の機能をもたらすには十分であるが、摩擦係数がさほど大きいものでないため、ストッパー操作時において、測定テープに加えられる外力に対しては、ほとんど保持力を持たない。したがって、ストッパー機構により測定テープを固定保持しての作業時に、不用意に、測定テープを測定面に当てること等により、測定テープの一部が収納ケース内に引込まれたり、あるいは、引き出されたりして、所望の引出し長さを維持できないという問題点がある。
【０００５】
かかる問題に対処して、実開平４−２１８０２号公報に記載された巻尺では、収納ケースの底部の内壁に、測定テープの移動方向に沿って互いに向かい合う内向きフランジよりなる蟻溝を設けて、測定テープの裏面に沿う凹状表面を有した、摩擦係数の高い材料からなる滑り止めクッションを装着することで上記問題を解消しようとするものである。しかし、この構造は、組立性が悪い上に、滑り止めクッションが収納ケース内の蟻溝に確実に装着されているか否かの検査の方法がないために、滑り止めクッションが、収納ケース内の蟻溝に確実に装着されていない場合には、測定テープの引き出し、巻き込みの操作時に、測定テープが滑り止めクッションに接触して、抵抗となるという問題点がある。
【０００６】
また、上述したように、収納ケースは、一般的にＡＢＳ等の樹脂で成形されているが、従来より用いられているこれらの収納ケースは、その表面が滑りやすく、収納ケースを握る手より滑り落としやすく、また、落下時の衝撃で収納ケースが壊れたり、あるいは、床等の落下地点にキズを付けるという問題があった。
【０００７】
【発明が解決しようとする課題】
本発明は、上述した事情に鑑みてなされたもので、測定テープの固定保持力が大きい巻尺を提供するとともに、滑り止めクッションを容易に取り付けることができる巻尺を提供することを目的とするものである。
【０００８】
【課題を解決するための手段】
請求項１に記載の発明は、巻取りバネを有する巻取りドラムを収容する収納ケースと、該収納ケースから引き出された測定テープの固定保持を行なうためのストッパーシューが設けられた巻尺において、前記ストッパーシューがストップ位置にあるとき前記ストッパーシューに対応する部分の収納ケースに開口が形成され、該開口に滑り止めのためにクッション部材が臨出されていることを特徴とするものである。
【０００９】
請求項２に記載の発明は、請求項１に記載の巻尺において、前記クッション部材は、前記開口に嵌合または接着により取り付けられていることを特徴とするものである。
【００１０】
請求項３に記載の発明は、請求項１または２に記載の巻尺において、前記クッション部材は鍔部を有し、該鍔部が前記収納ケースの開口の外壁側に形成され前記鍔部の厚さとほぼ等しい深さの凹部に座着して前記クッション部材が取り付けられていることを特徴とするものである。
【００１１】
請求項４に記載の発明は、請求項１に記載の巻尺において、前記収納ケースを取り巻くように取り付けられたグリップカバーを有し、前記クッション部材は、前記グリップカバーに一体的に形成されていることを特徴とするものである。
【００１２】
請求項５に記載の発明は、請求項４に記載の巻尺において、前記グリップカバーには、前記収納ケースをその周壁部側から挿入する開口部が設けられ、前記収納ケースには、前記グリップカバーが座着する段差部が形成されており、かつ、前記段差部の段差の高さが前記グリップカバーの開口部における厚さにほぼ等しいことを特徴とするものである。
【００１３】
請求項６に記載の発明は、請求項４または５に記載の巻尺において、前記収納ケースの外面に少なくとも１つの凸部が一体成形により形成されているとともに、前記グリップカバーには前記凸部と嵌合する位置に穴部が設けられていることを特徴とするものである。
【００１４】
請求項７に記載の発明は、請求項４ないし６のいずれか１項に記載の巻尺において、前記グリップカバーには、前記ストッパーシューを操作する操作ボタンの側方をカバーする保護壁が一体的に形成されていることを特徴とするものである。
【００１５】
【発明の実施の形態】
図１〜図４は、本発明の巻尺の第１の実施の形態を説明するためのもので、図１は、グリップカバーを収納ケースより外した状態における構成図、図２は、図１の上下を反転させた側からみた構成図、図３は、グリップカバーを収納ケースに組み付けた状態における組立図、図４は、図３の上下を反転させた側から見た一部を切り欠いた組立図である。図中、Ａは周壁部、Ｂ，Ｃは側壁部、Ｄは周壁カバー部、Ｅ，Ｆは側壁カバー部、１，２は収納ケース、１ａ，２ａは凸面、１ｂ，２ｂは凹面、１ｃ，２ｃは凸部、１ｄは開口、３はグリップカバー、３ａは開口部、３ｂは穴部、３ｃは保護壁、３ｄはクッション部、４は測定テープ、４ａはフック部材、５は測定テープ引き出し口、６は操作ボタン、６ａはストッパーレバー、６ｂはストッパーシューである。
【００１６】
収納ケースは、収納ケース１と収納ケース２の左右の２つに分割されるよう、例えば合成樹脂材料で成形され、両者が結合されて収納ケース１，２が構成されている。結合された状態において、収納ケース１，２は、巻取りドラムに巻き取られた測定テープの周面の外周を覆う周壁部Ａと、巻取りドラムの側方を覆う側壁部Ｂ，Ｃとにより基本的な構成がなされている。したがって、周壁部Ａと側壁部Ｂ，Ｃにより収納ケース１，２の外壁部が構成されている。収納ケース１，２の材料は、合成樹脂に限られるものではなく、金属材料、例えば、アルミ合金で成形されたもの、ステンレス等の金属薄板でプレス加工などにより作製されたものなど、適宜の材料で構成することができる。
【００１７】
グリップカバー３も同様に、周壁カバー部Ｄと、側壁カバー部Ｅ，Ｆを基本的な構成とし、グリップカバー３が収納ケース１，２に取り付けられた状態において、周壁カバー部Ｄは周壁部Ａを、側壁カバー部Ｅ，Ｆは側壁部Ｂ，Ｃを覆う。
【００１８】
グリップカバー３には、周壁カバー部Ｄの一部が除去されて開口部３ａが形成されている。この開口部３ａによって、収納ケース１，２を、その周壁部Ａ側から挿入することにより取り付けることができる。この実施の形態では、収納ケース１，２の測定テープ引き出し口５側から、グリップカバー３を取り付けるように開口部３ａが形成されている。グリップカバー３の材料は、軟質の合成樹脂や、天然ゴム，合成ゴム等のエラストマー材料が用いられる。
【００１９】
グリップカバー３の開口部３ａは、収納ケース１，２の側壁部Ｂ，Ｃの全面より後退した位置に形成され、その後退した開口部３ａの位置に対応する収納ケース１，２の外壁部には、凸面１ａ，２ａが収納ケース１，２に一体的に形成されている。この実施の形態では、凸面１ａ，２ａは、側壁部Ｂ，Ｃの一部から、周壁部Ａの一部に跨って形成されている。したがって、凸面１ａ，２ａ以外の概略の部分は、凹面１ｂ，２ｂとなっており、凹面１ｂ，２ｂも、側壁部Ｂ，Ｃの一部から、周壁部Ａの一部に跨って形成されている。このようにして、凸面１ａ，２ａと凹面１ｂ，２ｂとにより段差部が形成されている。すなわち、グリップカバー３の開口部３ａの形状と、収納ケース１，２の段差部の境界の形状が一致する。グリップカバー３は、段差部の凹面１ｂ，２ｂ側に座着されるようにして取り付けられる。グリップカバー３が段差部に座着されることにより、グリップカバー３が開口部３ａにおいて、めくれにくくなり、収納ケース１，２に対して、グリップカバー３の一体感を増すことができる。段差部の高さは、開口部３ａにおけるグリップカバー３の厚さに対して、厚くても、薄くてもよいが、ほぼ等しくするのが、測定者の手になじみやすく、グリップ感をよくできる。
【００２０】
収納ケース１，２の外壁部の一部に、少なくとも１つの凸部１ｃ，２ｃが収納ケース１，２に一体的に形成されている。この実施の形態では、凸部１ｃ，２ｃはリブ状に形成されているが、必ずしもリブ状である必要はない。円形状や楕円形状、あるいは、多角形状など、適宜の断面形状としてもよい。また、この実施の形態では、凸部１ｃ，２ｃが周壁部Ａから側壁部Ｂ，Ｃの一部にかけて形成されているが、周壁部Ａだけに形成されてもよく、側壁部Ｂ，Ｃだけに形成されてもよい。
【００２１】
グリップカバー３には、収納ケース１，２の凸部１ｃ，２ｃに対応する位置に穴部３ｂが形成されている。穴部３ｂの形状は、凸部１ｃ，２ｃの形状に合致させた形状とするのがよく、グリップカバー３を収納ケース１，２に組み付けたときに、収納ケース１，２の凸部１ｃ，２ｃと、グリップカバー３の穴部３ｂが嵌合することにより、ビス等の固定要素を必要とすることなく、グリップカバー３を収納ケース１，２より外れにくくすることができる。また、凸部１ｃ，２ｃと穴部３ｂとの境界部分が作業者の手に対する引っ掛かりとなるグリップ要素を提供することができる。
【００２２】
凸部１ｃ，２ｃの高さと穴部３ｂにおけるグリップカバー３の厚さとの関係は、いずれが大きくてもよい。凸部１ｃ，２ｃの高さがグリップカバー３の穴部３ｂにおける厚さより小さい場合は、穴部３ｂは貫通孔として形成されなくてもよく、凹部形状に形成されてもよい。また、凸部１ｃ，２ｃの高さと穴部３ｂにおけるグリップカバー３の厚さとほぼ等しくしてもよい。この場合、図５に断面図を示すように、凸部１ｃ，２ｃの頂部を丸めて、また、穴部３ｂの周縁を丸めて、両者の境界部分に凹みができるようにしてもよい。滑り止めの効果を増すことができる。
【００２３】
図２から分かるように、収納ケース１，２の周壁部Ａの底部側に開口１ｄが形成されている。開口１ｄは、収納ケース１側と収納ケース２側の両側の一部を切り欠いて形成されているが、これは収納ケース１，２が２分されているからであって、収納ケースの形体に応じて、開口１ｄが適宜に形成されればよい。しかし、開口１ｄが形成される位置は、図４に示すストッパーレバー６ａの先端部のストッパーシュー６ｂのストッパー操作時の位置に対向する位置にクッション部３ｄを位置させることができる位置である。
【００２４】
開口１ｄに嵌合するように、グリップカバー３には、クッション部３ｄが形成されている。クッション部３ｄは、図２に示されているように、内側に突出するように、グリップカバー３に一体成形されており、グリップカバー３を収納ケースに取り付けたとき、クッション部３ｄが開口１ｄに嵌合する。クッション部３ｄが開口１ｄに嵌合された状態は、図４に示されている。図４は、操作ボタン６が、ストップ位置に操作された状態であり、操作ボタン６に連動するストッパーレバー６ａが移動され、その先端のストッパーシュー６ｂが、測定テープ４を、クッション部３ｄに押し付けるようにして押圧して、測定テープ４をストッパーシュー６ｂとクッション部３ｄとで挟むようにして、固定保持する。したがって、測定テープ４がバネ力で引き込まれることはない。
【００２５】
クッション部３ｄは、グリップカバー３と一体成形されているから、クッション部３ｄの材料は、グリップカバー３と同じ材料である。グリップカバー３の材料については、上述したように、軟質の合成樹脂や、天然ゴム，合成ゴム等のエラストマー材料が用いられるが、これらは、これらの材料は摩擦係数が大きいから、クッション部３ｄで測定テープ４の引抜力に対して固定保持する保持力を大きくできる。
【００２６】
特に、天然ゴムや合成ゴムは摩擦係数が大きいから、好適である。クッション部３ｄに天然ゴムや合成ゴムは摩擦係数が大きい材料を用いて、二色成形によりグリップカバー３を製造してもよい。
【００２７】
グリップカバー３に形成した保護壁３ｃは、操作ボタン６の移動範囲にわたって、操作ボタン６を、間隔をおいて挟むように、側方に形成されている。操作中、または、所持しているときに、巻尺を落とした場合、操作ボタン６のある部分が下向きに床等に当たっても、保護壁により操作ボタン６が落下面に当たることを防止でき、操作ボタン６の破損を防ぐことが可能である。
【００２８】
この実施の形態では、ストッパーシュー６ｂがストップ位置にあるとき、ストッパーシューに対応する部分の収納ケースに形成された開口に取り付けられる滑り止めのためのクッション部材を、グリップカバーに一体的に形成してクッション部３ｄとし、これを開口から臨出させたので、グリップカバー３を収納ケース１，２に取り付けることにより、クッション部材を設けることができる。したがって、クッション部材を取り付けるための行程がグリップカバー３を取り付ける作業により達成できる利点がある。また、クッション部材に相当するクッション部３ｄの取付位置も確実に所定に位置にすることができ、ずれ等の問題も生じない利点がある。
【００２９】
なお、この実施の形態において、収納ケース１，２の測定テープ引き出し口５側を前面側と呼べば、前面側からグリップカバー３を取り付けるようにグリップカバー３の後面側に開口部３ａが形成されている。しかし、本発明のグリップカバーは、前面側から取り付けられるものに限られるものでなく、前面側に開口部が形成されたグリップカバーを用いて、後面側から収納ケースに取り付けるようにされてもよく、また、グリップカバーの開口部を両側に形成してもよく、収納ケースにグリップカバーを取り付ける態様は適宜でよい。しかし、グリップカバーを取り付けることによって、クッション部が開口に取り付けられることが必要であることはいうまでもない。
【００３０】
図６，図７は、本発明の巻尺の第２の実施の形態を説明するためのもので、図６（Ａ）は、クッション部材を収納ケースに取り付ける前の状態を示す斜視図、図６（Ｂ）は、クッション部材を裏側から見て図６（Ａ）よりも拡大して図示した斜視図、図６（Ｃ）は、クッション部材を収納ケースに取り付けた状態を示す斜視図、図７は、使用方法を説明するための一部を破断した側面図である。図中、図１〜図４と同様の部分には同じ符号を付して説明を省略する。１ｅ，２ｅは凹部、２ｄは開口、７，８はクッション部材、７ａ，８ａはクッション部、７ｂ〜７ｄ，８ｂ〜８ｄは鍔部、９は測定テープ規制部である。
【００３１】
この実施の形態では、クッション部としては、収納ケース１，２に取り付けられるように別部材として作製したクッション部材７，８を用いた。クッション部材７，８の材料は、第１の実施の形態で説明したグリップカバーの材料と同様の材料を用いることができる。図６（Ａ）に示すように、クッション部材７，８は、収納ケース１，２に形成された凹部１ｅ，２ｅに座着するようにして取り付けられる。このとき、クッション部材７，８のクッション部７ａ，８ａが、開口１ｄ，２ｄに挿入される。
【００３２】
この実施の形態では、クッション部７ａ，８ａの周囲に鍔部が形成されている。鍔部７ｂ，８ｂは、クッション部７ａ，８ａの前後に、鍔部７ｃ，８ｃは、クッション部７ａ，８ａの外側に設けられており、鍔部７ｃ，８ｃの外側には直角に折れ曲がって、収納ケース１，２の側壁部にまで延びた鍔部７ｄ，８ｄが形成されている。それにより、凹部１ｅ，２ｅは、収納ケース１，２の側壁部Ｂ，Ｃの一部にまで形成されている。凹部１ｅ，２ｅは、必ずしも必要ではないが、これを設けることによって、鍔部が収納ケースの表面から突出することを防止できる。したがって、凹部１ｅ，２ｅを設ける場合は、その深さは、凹部１ｅ，２ｅの厚さにほぼ等しくするのがよい。もちろん、鍔部の形状は、この実施の形態で説明した形状に限られるものではなく、また、クッション部７ａ，８ａを取り付けることができれば鍔部はなくてもよい。しかし、大きめに鍔部を形成することにより、グリップ要素となり、巻尺を握った際の滑り止めの機能をさせることもできる。そのためには、収納ケース１，２の側壁部Ｂ，Ｃの一部にまで鍔部を延長させて形成するのがよい。
【００３３】
クッション部材７，８の取り付けは、クッション部７ａ，８ａを開口１ｄ，２ｄに嵌合させる方法を採用できる。鍔部が広い面積にわたって設けられた場合には、鍔部の裏面側に突起を形成し、その突起に対応する収納ケース１，２の部分に嵌合孔を形成し、鍔部をも収納ケース１，２に嵌合させるようにするのがよい。嵌合構造によらず、接着剤を用いて、クッション部材７，８を収納ケース１，２に固定する方法など、適宜の方法を採用することができる。なお、クッション部材７，８は、２つの部材で構成したが、一体的に形成して１つの部材としてもよいことはもちろんである。
【００３４】
図７により、ストップ動作を説明する。図７（Ａ）は、操作ボタン６が操作されていない状態であり、測定テープ４を引き出すことができ、また、引き出した測定テープ４をフリーにすれば、測定テープ４は収納ケース１，２内に巻き取られる。
【００３５】
測定テープ４を引き出した状態で、操作ボタン６を操作した状態が図７（Ｂ）である、操作ボタン６が操作され、操作ボタン６に連動するストッパーレバー６ａの先端のストッパーシュー６ｂが、測定テープ４を、クッション部７ａ，８ａに押し付けるようにして押圧して、測定テープ４をストッパーシュー６ｂとクッション部７ａ，８ａとで挟むようにして、固定保持する。この固定保持の動作は、第１の実施の形態と同様であり、測定テープ４がバネ力で引き込まれることはない。
【００３６】
測定テープ引き出し口５に設けられた測定テープ規制部９の内面の高さは、クッション部７ａ，７ｂの高さよりやや高くなるようにしている。それにより、クッション部７ａ，８ａが、測定テープ４の引き出しの際、および、巻き込みの際に、摩擦接触することなく、測定テープ４の出入を円滑にできる。
【００３７】
測定テープ規制部９は、収納ケース１，２に一体的に形成されてもよく、あるいは、別部材として作製し、収納ケース１，２に取り付けるようにしてもよい。また、測定テープ４の巻き込みの際に、フック部材４ａが測定テープ引き出し口５に衝突する衝撃を吸収するショックアブソーバーを用いる場合には、ショックアブソーバーに測定テープ規制部９を形成してもよい。
【００３８】
なお、測定テープ規制部９については、第１の実施の形態では、説明を省略したが、第１の実施の形態においても、測定テープ規制部９を設けてもよいことはもちろんである。
【００３９】
【発明の効果】
以上の説明から明らかなように、本発明によれば、ストップ機構における測定テープの滑り止めのためのクッション部材を、収納ケースの組立後に、収納ケースの外部より組み付けることができるので、組立性の良好な巻尺を提供できる。特に、請求項２，３に記載の発明においては、別部材として作製したクッション部材を確実に組み付けることができる利点を有している。また、請求項４〜７に記載の発明においては、グリップカバーを取り付けることによって、クッション部材が取り付けられることになるから、クッション部材を取り付けるための工数を必要としない利点がある。
【図面の簡単な説明】
【図１】本発明の巻尺の第１の実施の形態を説明するためのグリップカバーを収納ケースより外した状態における構成図である。
【図２】図１の上下を反転させた側からみた構成図である。
【図３】本発明の巻尺の第１の実施の形態を説明するためのグリップカバーを収納ケースに組み付けた状態における組立図である。
【図４】図３の上下を反転させた側から見た一部を切り欠いた組立図である。
【図５】凸部と凹部の一例を説明するための断面図である。
【図６】本発明の巻尺の第２の実施の形態を説明するためのもので、図６（Ａ）は、クッション部材を収納ケースに取り付ける前の状態を示す斜視図、図６（Ｂ）は、クッション部材を裏側から見て拡大した斜視図、図６（Ｃ）は、クッション部材を収納ケースに取り付けた状態を示す斜視図である。
【図７】本発明の巻尺の第２の実施の形態の使用方法を説明するための一部を破断した側面図である。
【符号の説明】
Ａ…周壁部、Ｂ，Ｃ…側壁部、Ｄ…周壁カバー部、Ｅ，Ｆ…側壁カバー部、１，２…収納ケース、１ａ，２ａ…凸面、１ｂ，２ｂ…凹面、１ｃ，２ｃ…凸部、１ｄ，２ｄ…開口、１ｅ，２ｅ…凹部、３…グリップカバー、３ａ…開口部、３ｂ…穴部、３ｃ…保護壁、３ｄ…クッション部、４…測定テープ、４ａ…フック部材、５…測定テープ引き出し口、６…操作ボタン、６ａ…ストッパーレバー、６ｂ…ストッパーシュー、７，８…クッション部材、７ａ，８ａ…クッション部、７ｂ〜７ｄ，８ｂ〜８ｄ…鍔部、９…測定テープ規制部。
【図１】
0004366520.tif 000002
【図２】
0004366520.tif 000003
【図３】
0004366520.tif 000004
【図４】
0004366520.tif 000005
【図５】
0004366520.tif 000006
【図６】
0004366520.tif 000007
【図７】
0004366520.tif 000008